(57)【要約】【課題】アンテナから放射される電波に起因する人体影響を低減することが可能な携帯端末を提供する。【解決手段】携帯端末は、筐体と、筐体に設けられた回路基板と、筐体に設けられ、所定の波長に共振するアンテナ６０と、回路基板に形成され、アンテナ６０に電気的に接続された導電部とを備える。導電部は、第１の部分７１と、第１の部分７１に対して屈曲して、第１の部分７１に接続される第２の部分７２とを有する。第１の部分７１と第２の部分７２とは、所定の波長に対応する長さを有する。【選択図】図３
2011155523.tif 000002
【特許請求の範囲】
【請求項１】
筐体と、
前記筐体に設けられた回路基板と、
前記筐体に設けられ、所定の波長に共振するアンテナと、
前記回路基板に形成され、前記アンテナに電気的に接続された導電部と、を備え、
前記導電部は、第１の部分と、前記第１の部分に対して屈曲して、前記第１の部分に接続される第２の部分とを有し、
前記第１の部分と第２の部分とは、前記所定の波長に対応する長さを有する、携帯端末。
【請求項２】
前記導電部は、基準電位に電気的に接続されたグランドパターンである、請求項１に記載の携帯端末。
【請求項３】
複数のキーから構成されるキー操作部をさらに備え、
前記回路基板は、前記キーが操作されることに基づいて電気的な接点が接続されるキースイッチを構成するキースイッチ端子を複数有し、
前記第１の部分と第２の部分とは、前記キースイッチ端子それぞれの間に配置される、請求項１又は２に記載の携帯端末。
【発明の詳細な説明】
【技術分野】
【０００１】
本発明は、アンテナを備える携帯端末に関する。
【背景技術】
【０００２】
携帯電話機等の携帯端末は、筐体と、この筐体の内部に設けられたアンテナとを備える（例えば、特許文献１を参照）。
【先行技術文献】
【特許文献】
【０００３】
【特許文献１】特開２００７−３５３６１号公報
【発明の概要】
【発明が解決しようとする課題】
【０００４】
このような携帯電話機では、アンテナから放射される電波に起因する人体への影響をできるだけ低減させたいという要望がある。
【０００５】
そこで本発明は、アンテナから放射される電波に起因する人体への影響を、低減させることのできる携帯端末を提供することを目的とする。
【課題を解決するための手段】
【０００６】
本発明の携帯端末は、筐体と、前記筐体に設けられた回路基板と、前記筐体に設けられ、所定の波長に共振するアンテナと、前記回路基板に形成され、前記アンテナに電気的に接続された導電部と、を備え、前記導電部は、第１の部分と、前記第１の部分に対して屈曲して、前記第１の部分に接続される第２の部分とを有し、前記第１の部分と第２の部分とは、前記所定の波長に対応する長さを有することを特徴とする。
【０００７】
また、前記導電部は、基準電位に電気的に接続されたグランドパターンであることが好ましい。
【０００８】
また、前記携帯端末は、複数のキーから構成されるキー操作部をさらに備え、前記回路基板は、前記キーが操作されることに基づいて電気的な接点が接続されるキースイッチを構成するキースイッチ端子を複数有し、前記第１の部分と第２の部分とは、前記キースイッチ端子それぞれの間に配置されることが好ましい。
【発明の効果】
【０００９】
本発明によれば、アンテナから放射される電波に起因する人体への影響を、低減させることができる。
【図面の簡単な説明】
【００１０】
【図１】携帯端末の一実施形態に係る携帯電話機の外観斜視図である。
【図２】携帯電話機の分解斜視図である。
【図３】携帯電話機の概略構成を示す模式図である。
【図４】キー基板の一部分の概略構成を示す平面図である。
【図５】図４に示すキー基板の底面図である。
【図６】導電部の変形例について説明するための図である。
【発明を実施するための形態】
【００１１】
以下、本発明を実施するための好ましい実施形態について、図面を参照しながら説明する。まず、本発明の携帯端末の一実施形態に係る携帯電話機１の基本構造について、図１を参照しながら説明する。図１は、携帯端末の一実施形態に係る携帯電話機１の外観斜視図である。
【００１２】
携帯電話機１は、筐体２を備えると共に、この筐体２の前面１０に配置される操作部１１（キー操作部）と、表示部２１と、スピーカ２２と、マイク２３とを備える。
操作部１１は、複数のキーから構成される。すなわち、操作部１１は、各種設定機能や辞書機能やメール機能等の各種機能を作動させるための機能設定操作キー１３と、数字や文字を入力するための入力操作キー１４と、各種操作における決定やスクロール等を行う決定操作キー１５とから構成される。
表示部２１は、通話の相手側の電話番号やメールアドレス、及びメールの内容等の各種情報（文字情報や画像情報）を表示する。表示部２１は、例えば、液晶ディスプレイや有機ＥＬ（エレクトロルミネッセンス）ディスプレイ等から構成される。
スピーカ２２は、通話の相手側の音声を出力する。
マイク２３は、携帯電話機１の使用者が通話時に発した音声を入力するために用いられる。
【００１３】
なお、携帯電話機は、図１に示す形態に限定されることはない。例えば、携帯電話機は、表示部を有する表示部側筐体と、操作部を有する操作部側筐体と、表示部側筐体と操作部側筐体とを結合するヒンジ部とを備える折り畳み式の携帯電話機であってもよい。また、携帯電話機は、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したものであってもよい。
【００１４】
次に、携帯電話機１の内部構成について説明する。図２は、携帯電話機１の分解斜視図である。なお、図２では、操作部１１を分解して示していない。
筐体２は、フロントケース２ａと、リアケース２ｂと、バッテリリッド２ｃとを備える。フロントケース２ａとリアケース２ｂとは、互いの凹状の内側面が向き合うように配置され、互いの外周縁が重なり合うようにして結合される。また、リアケース２ｂの外面には、バッテリリッド２ｃがリアケース２ｂに対して着脱可能に結合される。この筐体２の内部には、表示部２１と、キー基板５０を備える回路基板４０と、バッテリ８１とが配置される。回路基板４０には、種々の電子部品（図示せず）が実装され、また電子部品を電気的に接続する回路パターン（図示せず）が形成されている。
【００１５】
このように構成される携帯電話機１は、アンテナ６０を有し、このアンテナ６０から放射される電波に関し、人体影響への影響を低減する機能を有する。なおアンテナからの電波による人体影響を示す基準の一例としては、ＳＡＲ（Ｓｐｅｃｉｆｉｃ  Ａｂｓｏｒｐｔｉｏｎ  Ｒａｔｅ：比吸収率）が知られている。ＳＡＲは、所定の質量の生体組織が所定の時間に吸収するエネルギ量のことであり、値が大きくなるほど生体組織に大きな影響を与える。
【００１６】
また、上記の基準には、電話発信を行う時など携帯電話機を人体頭部のそばで使用する場合に、局所ＳＡＲが用いられる。局所ＳＡＲとは、電波にさらされたことによって任意の生体組織１０グラムが任意の６分間に吸収したエネルギを１０グラムで除し、さらに６分で除した値のことである。そして、携帯電話機は、無線設備規則第１４条の２第１項に規定されるように、アンテナから放射される電波の人体頭部における比吸収率（局所ＳＡＲ）が許容値（２Ｗ／ｋｇ）以下になっていなければならない。
【００１７】
以下に、携帯電話機１に係る上記機能を発揮するための構成と動作について詳述する。
まず、本実施形態に係る携帯電話機１の上記機能を発揮するための構成について、図３ないし図５を参照しながら説明する。図３は、携帯電話機１の概略構成を示す模式図である。図４は、キー基板５０の一部分の概略構成を示す平面図である。図５は、図４に示すキー基板５０の底面図である。
【００１８】
図３に示すように、携帯電話機１は、アンテナ６０と、導電部７０とを備える。
アンテナ６０は、筐体２に設けられ、所定の波長λに共振する。例えば、アンテナ６０から放射される電波の周波数が８００［ＭＨｚ］〜９００［ＭＨｚ］の場合、所定の波長λは、０．３７５［ｍ］〜０．３３３［ｍ］となる。また、アンテナ６０から放射される電波の周波数が２［ＧＨｚ］の場合、所定の波長λは、０．１５［ｍ］となる。また、アンテナ６０は、ＲＦ回路部６１に接続される。ＲＦ回路部６１は、アンテナ６０によって信号を送信するために信号の変調処理を行い、またアンテナ６０によって受信した信号の復調処理を行う。
【００１９】
導電部７０は、キー基板５０（回路基板）に形成される。図４に示すように、キー基板５０は、機能設定操作キー１３や入力操作キー１４や決定操作キー１５と対向する位置に配置された、キースイッチを構成するキースイッチ端子５１を備える。このキースイッチ端子５１の上部には、キースイッチを構成するメタルドーム（図示せず）が配置される。キースイッチは、操作部１１を構成するキーが押下された場合、メタルドームの頂点が押圧されてキースイッチ端子５１に接触し、キースイッチ端子５１が電気的に接続する。また、図５に示すように、キー基板５０は、キースイッチ端子５１が形成された上面とは反対の面（下面）に、基準電位７４（図３参照）に接続される基準電位接続パターン５２を備える。
【００２０】
このようなキー基板５０に配置される導電部７０は、図４に示すように、キースイッチ端子５１それぞれの間に配置される。すなわち、導電部７０は、キースイッチ端子５１と電気的に接続することなくキー基板５０に配置される。また、導電部７０は、携帯電話機がユーザの顔（耳や頬のあたり）に当てられた場合、アンテナと人体との間に位置するようキー基板５０に配置される。したがって、導電部７０は、キー基板５０において、キースイッチ端子５１が配置されている領域の全体、又はその領域の一部に配置される。
【００２１】
導電部７０は、基準電位７４に接続されたグランドパターンとなる。本実施形態の場合、導電部７０は、絶縁層を貫通する導通部（図示せず）により基準電位接続パターン５２に電気的に接続されている。また、導電部７０は、アンテナ６０（図３参照）に電気的に接続される。アンテナ６０により電波が放射される場合、又はアンテナ６０により電波が受信される場合、導電部７０には、電波に基づいて表面電流が誘起される。これにより、導電部７０とアンテナ６０とは、電気的に接続される。なお、導電部７０とアンテナ６０とは、直流的に接続されていてもよく、容量結合により高周波的に接続されていてもよい。
【００２２】
導電部７０は、第１の部分７１と、第１の部分７１に対して屈曲して、第１の部分７１に接続される第２の部分７２とを有する。すなわち、導電部７０は、格子状に形成された導体（第１の部分７１及び第２の部分７２）から構成される。図３に示す場合では、導電部７０は、縦方向に沿って連続して配置された２つ第１の部分７１（７１ａ，７１ｂ）を備える。一方の第１の部分７１ａの両端のそれぞれには、横方向に沿って配置された第２の部分７２（７２ａ，７２ｂ）が接続される。第１の部分７１と第２の部分７２とが接続する箇所（屈曲している箇所）は、導電部７０に誘起される表面電流（高周波電流）において、第１の部分７１及び第２の部分７２よりもインピーダンスが高い部分（高インピーダンス部７３）となる。なお、導電部７０は、図３に示す形状に限定されることはない。
【００２３】
また、第１の部分７１と第２の部分７２とは、所定の波長λに対応する長さＬを有する。所定の波長に対応する長さＬは、下記の数１から得られる。
【数１】
2011155523.tif 000003
例えば、所定の波長λが０．３７５［ｍ］〜０．３３３［ｍ］（周波数が８００［ＭＨｚ］〜９００［ＭＨｚ］）の場合には約３０［ｍｍ］〜４０［ｍｍ］であり、所定の波長λが０．１５［ｍ］（周波数が２［ＧＨｚ］）の場合には約１０［ｍｍ］である。
【００２４】
このような構成の携帯電話機１では、アンテナ６０を利用して、電波を放射又は電波を受信する場合に、導電部７０に表面電流が誘起される。この場合、導電部７０における第１の部分７１を伝播する表面電流は、第１の部分７１と第２の部分７２とが交差する高インピーダンス部７３により反射される。すなわち、高インピーダンス部７３は、第１の部分７１及び第２の部分７２に対して、インピーダンスが不整合となっている。これにより、第１の部分７１及び第２の部分７２において、高インピーダンス部７３に向かう電流（ここでは、進行電流という。）と、高インピーダンス部７３により反射された電流（ここでは、反射電流という。）とが互いに打ち消しあうので、表面電流は低減される。
【００２５】
なお、アンテナ６０から放射される電波が強い（電力が大きい）場合には、導電部７０に誘起される表面電流が大きくなる。この場合でも、携帯電話機１は、高インピーダンス部７３によって表面電流を低減することに基づいて電波を弱くして、アンテナ６０から放射される電波に起因する人体への影響を低減することができる。
【００２６】
以上説明したように、携帯電話機１は、第１の部分７１と、この第１の部分７１に対して屈曲して、第１の部分７１に接続される第２の部分７２とを有する導電部７０により、その導電部７０に誘起される表面電流を小さくしているので、アンテナ６０から放射される電波に起因する人体への影響を低減することができる。
【００２７】
また、携帯電話機１は、基準電位７４に電気的に接続されたグランドパターンにより導電部７０を形成したので、導電部７０に表面電流を誘起させることができる。
また、携帯電話機１は、複数のキースイッチ端子５１の間に導電部７０を配置したので、導電部７０を配置する領域を新たに追加する必要がなく、キー基板５０の有効活用が図られる。
【００２８】
次に、導電部の変形例について説明する。図６は、導電部１００の変形例について説明するための図である。
導電部１００は、格子状に形成された導体から構成されている。すなわち、導電部１００は、縦方向及び横方向のそれぞれに３個の単位格子１１０を並べた構成である。単位格子１１０は、縦方向に沿って配置された第１の部分１１１と、この第１の部分１１１に対して屈曲し、且つ、第１の部分１１１に接続する（横方向に沿って配置された）第２の部分１１２とから構成される。
【００２９】
第１の部分１１１と第２の部分１１２とが接続する箇所（屈曲している箇所）は、高インピーダンス部１１３となる。高インピーダンス部１１３は、単位格子１１０当たり４つ存在する。
【００３０】
なお、導電部１００は、図６では９個の単位格子１１０から形成されたものであるが、これに限定されることはなく、１つ以上の単位格子１１０から形成されたものであればよい。また、導電部１００は、図６では縦方向及び横方向のそれぞれに３個の単位格子１１０が並べられたものであるが、これに限定されることはなく、縦方向及び横方向のそれぞれに任意の数の単位格子１１０を並べたものであってもよい。
また、単位格子１１０の形状は、正方形に限定されることはなく、長方形であってもよい。この場合、第１の部分及び第２の部分のうちの一方が、他方よりも長くなる。
【００３１】
なお、上述した実施形態では、本発明の携帯端末が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）を始めとする電波を放射する携帯端末にも適用することができる。
【符号の説明】
【００３２】
１  携帯電話機（携帯端末）
２  筐体
１１  操作部（キー操作部）
５０  キー基板
５４  キースイッチ端子
６０  アンテナ
７０  導電部
７１  第１の部分
７２  第２の部分
７３  高インピーダンス部
７４  基準電位
【図１】
2011155523.tif 000004
【図２】
2011155523.tif 000005
【図３】
2011155523.tif 000006
【図４】
2011155523.tif 000007
【図５】
2011155523.tif 000008
【図６】
2011155523.tif 000009